(57)【要約】本発明の脳神経刺激用多チャネル電極アレイの製作装置は、複数本の電線ワイヤを支持し、複数の白金リングが挿入される電極支持台１００と、受け台２１０と、一対の垂直フレーム２２０及び水平フレーム２４０で構成されて電極支持台１００を固定するフレーム部材２００と、中央に電極支持台１００が挿入され、電線ワイヤのそれぞれが巻き取られたボビン７００がスライドされることによって、電線ワイヤが電極支持台で一対ずつ縒り合わされて格子が形成されるように回転する回転部材６００と、前記回転部材６００を回転自在、且つ、スライド自在に支持する昇降板５００と、回転部材を回転させて形成された格子の長さだけスライドされるように調節する左右一対の調節部８００、９００とを含む。本発明によれば、複数の電線ワイヤを垂直支持した状態で左右上下のそれぞれの一対の電線ワイヤが下方へ下りながら交差して回転することによって、格子状に縒り合わされる多チャネル電極アレイが製作されることで、予想できない力や衝撃にも耐えられる。【選択図】図１
2013521853.tif 000002
【特許請求の範囲】
【請求項１】
脳神経刺激用多チャネル電極アレイの製作装置であって、
複数本の電線ワイヤを支持し、複数の白金リングが挿入される電極支持台と、
前記電極支持台を固定するフレーム部材と、
回転軸の上下に取り付けられる上下部板で構成され、前記電極支持台に支持された前記電線ワイヤがそれぞれ巻き取られたボビンが前記上部板に沿ってスライドされることによって、前記電線ワイヤが前記電極支持台で一対ずつ縒り合わされるように回転される回転部材と、
前記回転部材を回転自在、且つ、スライド自在に支持する昇降板と、
前記回転部材を回転させて格子の長さだけ前記回転部材がスライドされるように調節する一対の調節部と
を含む脳神経刺激用多チャネル電極アレイの製作装置。
【請求項２】
前記電極支持台は、
前記電線ワイヤが挿入されるように長手方向に等間隔で形成されたワイヤ位置溝と、
前記挿入された複数の白金リングが所定間隔で位置するように形成されたリング固定ホールと、
前記リング固定ホールに挿入される固定ピンと
を含むことを特徴とする請求項１に記載の脳神経刺激用多チャネル電極アレイの製作装置。
【請求項３】
前記フレーム部材は、
前記電極支持台が挿入される挿入ホールが形成された受け台と、
前記受け台上に所定間隔を置いて垂直に設置された一対の垂直フレームと、
前記垂直フレーム上に連結部材により取り付けられる水平フレームと
を含むことを特徴とする請求項１に記載の脳神経刺激用多チャネル電極アレイの製作装置。
【請求項４】
前記回転部材は、
回転軸と、
前記回転軸の上下部にそれぞれ挿入される上下部軸フランジ部と、
内板と外板で構成されて前記回転軸の上部に結合される上部板と、
前記回転軸の下部に結合される下部板と
を含み、
前記上部内板にはギアが形成され、前記上部内板のギアに対応するように前記下部板にギアが形成され、
上部内外板には前記ボビンがスライドされるガイド溝が形成されることを特徴とする請求項１に記載の脳神経刺激用多チャネル電極アレイの製作装置。
【請求項５】
前記昇降板が結合されるスライディング溝を長手方向に有するスライディング板を更に含み、
前記回転部材の回転軸と同心で、上部内板と前記下部板の内部に軸フランジ部を更に含み、
前記昇降板の一端は前記回転部材の回転軸に結合されるように回転部材結合部が形成され、他端は前記スライディング溝に挿入されて昇降がガイドされる結合突起が形成されたスライディング板結合部を含むことを特徴とする請求項４に記載の脳神経刺激用多チャネル電極アレイの製作装置。
【請求項６】
前記回転部材結合部の先端には、上下に突起が形成された回転表示部材が取り付けられて前記回転部材の回転軸に挿入される半円状棚部が提供され、
前記回転部材の上下部軸フランジ部には、前記回転表示部材の突起が挿入される複数の表示溝が等間隔で形成されることを特徴とする請求項５に記載の脳神経刺激用多チャネル電極アレイの製作装置。
【請求項７】
前記調節部のそれぞれは、
前記回転部材と結合されるギア部と、
前記ギア部の回転軸と、
前記垂直フレームに沿って昇降するように前記回転軸に結合されるスライディング部材と、
前記回転軸に連結された取っ手と
を含むことを特徴とする請求項１に記載の脳神経刺激用多チャネル電極アレイの製作装置。
【請求項８】
前記ボビンは左右の２つは前記上部内板に位置し、上下の２つは前記上部外板に位置し、前記調節部を回転させれば、前記上部内板の回転方向と前記外板及び前記下部板の回転方向が互いに反対に回転し、前記上部内板に位置するボビンを前記上部外板にスライドさせ、前記上部外板に位置するボビンを前記上部内板にスライドさせ、上部内板に位置することを特徴とする請求項４に記載の脳神経刺激用多チャネル電極アレイの製作装置。
【請求項９】
前記調節部の回転軸には取っ手の回転力を前記垂直フレームに伝達し、前記スライディング部材をスライドさせるように前記垂直フレームと対面するギアが提供されることを特徴とする請求項７に記載の脳神経刺激用多チャネル電極アレイの製作装置。
【請求項１０】
請求項１〜９の何れか一項による脳神経刺激用多チャネル電極アレイの製作方法において、
電極支持台を固定する段階と、
前記電極支持台に電線ワイヤを位置させ、白金リングは前記電極支持台に嵌め込む段階と、
第１調節部を調節して上部内板に位置する内部のボビンを外部に移動させ、外部のボビンを内部に移動させながら回転部材を下部の白金リングまでスライドさせる段階と、
第２調節部を調節して上部外板に位置するボビンを上部内板に移動させ、上部内板のボビンを上部外板に移動させながら前記回転部材を次の下部の白金リングまでスライドさせる段階と、
前記電極支持台の下端まで前記電線ワイヤが格子状に縒り合わされるまで前記第１及び第２調節部を調節する段階と、
前記固定された電極支持台から電極ワイヤを解除する段階と
を含む脳神経刺激用多チャネル電極アレイの製作方法。
【発明の詳細な説明】
【技術分野】
【０００１】
本発明は、運動障害及び痛み治療のための次世代深部脳刺激装置で用いる脳神経刺激用多チャネル電極を製作する装置及び方法に関し、更に詳しくは、深部脳刺激装置で頭腔内に移植されて脳の特定の構造物を刺激するのに用いられる刺激電極を施術又は操作するとき、電極に加えられ得る力や衝撃に耐えられるように格子状に縒り合わせて形成した多チャネル電極アレイを製造する脳神経刺激多チャネル電極アレイの製作装置及び方法に関する。
【背景技術】
【０００２】
周知のように、パーキンソン病は老人性痴呆症に次いで最も一般的な非血管系退行性脳疾患であって、主に高齢者層で多く発生し、高齢人口が増加するにつれて発病率も高くなっている。このようなパーキンソン病の発症機転は現在まで明確にされていないが、脳神経伝達物質の一種であるドーパミンの枯渇が直接の原因とされている。これによって手震えや運動緩徐（ｂｒａｄｙkｉｎｅｓｉａ）のような各種運動障害を誘発するようになり、現在まで根本的な治療法は開発されていない。
【０００３】
パーキンソン病の治療方法としては、主に足りないドーパミンを補充する薬物治療法と、ドーパミン不足により異常な活動をする脳構造物を完全に除去する手術法などが挙げられる。近年は、視床核、淡蒼球（Ｇｌｏｂｕｓ Ｐａｌｌｉｕｓ）、下視床核などと脳深部構造物に微細に細い電極を挿入した後、一定の電気刺激を加えて運動障害を治療する方法が開発されて施術されているが、この際に用いる装置を深部脳刺激装置（ＤＢＳ：Ｄｅｅｐ Ｂｒａｉｎ Ｓｔｉｍｕｌａｔｏｒ）という。深部脳刺激装置の例として、２００６年８月１７日に公開されたＣｏｎｓｔａｎｃｅ Ｍ. Ｊｏｈｎらの“ＤＥＶＩＣＥ ＦＯＲ ＢＲＡＩＮ ＳＴＩＭＵＬＡＴＩＯＮ ＵＳＩＮＧ ＲＦ ＥＮＥＲＧＹ ＨＡＲＶＥＳＴＩＮＧ”という名称の特許文献１が挙げられる。
【０００４】
このような深部脳刺激（ＤＢＳ：Ｄｅｅｐ Ｂｒａｉｎ Ｓｔｉｍｕｌａｔｉｏｎ）施術法の長所は、薬物治療や手術に比べて治療効果が大きく、脳損傷の危険が少ない上、脳組織を除去しないことにあるため、新しい治療法として適用されている。このような深部悩刺激装置を通じたパーキンソン病の症状の好転は９０％程度で非常に高く、満足できる程度であり、深部悩刺激装置の使用をＦＤＡ（米国食品医薬品局）でも許可しており、ＮＩＨ（米国国立衛生研究所）の報告によれば、約２,０００人以上の多数の患者らが深部悩刺激装置の移植を受けたとされている。
【０００５】
現在、施術されている深部悩刺激装置は、制限されたバッテリの寿命による頻繁な刺激装置の交換と大きなサイズによる手術の複雑性などの短所を克服しなければならない。このような短所を解消する次世代深部悩刺激装置が活発に開発されており、開発される深部悩刺激装置の効用性に対する検証及び装置の応用範囲（痛み、てんかんなど）を広げるために動物モデル（片方の脳にのみパーキンソン病変を作った動物）実験を進めている。
【０００６】
深部悩刺激術を動物モデルに実行するにおいて、動物モデルが生物学的に安全でなければならないので、生体に影響があってはならず、刺激電極と電気刺激による脳細胞の破壊があってはならず、刺激電極の使用材料は生体に適用するのに安全でなければならない。深部悩刺激術を行うためには、深部構造物内の病原部位の正確な位置を設定しなければならず、このために磁気共鳴画像装置（ＭＲＩ）を用いた映像と微細電極を共に利用することで、位置の設定及び手術の精度を遥かに高めることができる。
【０００７】
脳深部構造物から神経信号を記録できる微細電極は、その端部を鋭く加工し、神経信号測定部を除いた部分は絶縁されている金属電極が用いられる。このような金属微細電極は、先端部が鋭く加工された金属線に絶縁膜を形成した後、先端部の絶縁膜を除去して神経信号測定部の金属を露出させて製造される。しかし、深部悩刺激術は単一の神経細胞からの神経信号の測定を目的とするため、神経信号測定部の金属は数μｍ程度のみ露出しなければならず、用途に応じて、即ち血管用であるか、脊椎用であるかによって所定間隔で複数の白金リングが付着されていなければならない。
【０００８】
ところが、前述した従来の微細電極は電極の素材が白金であり、太さが非常に細く、複数の電極が長手方向に一字状に並んで配列されている。そのため、電極素材自体が基本的に長手方向の引張強度が弱い性質を有するので、長手方向の力や衝撃が加えられれば、直ぐに切れてしまうという問題がある。
【０００９】
これを解決するために、電極を螺旋状（ｈｅｌｉｃａｌ）に縒り合わせて製作することができるが、この場合には電極が互いに絡む可能性が存在し、このように絡んだ部分に長手方向の力が加えられても、これも切れる素地があるという問題がある。
【先行技術文献】
【特許文献】
【００１０】
【特許文献１】米国特許出願公開第２００６／０１８４２０９号明細書
【発明の概要】
【発明が解決しようとする課題】
【００１１】
そこで、本発明は上記事情に鑑みてなされたものであって、その目的は、電極に加えられ得る予想できない力や衝撃に耐えられるように電極に格子状の連結部を備える多チャネル電極アレイを製作する脳神経刺激用多チャネル電極アレイの製作装置及び方法を提供することにある。
【課題を解決するための手段】
【００１２】
前述した目的を達成するための本発明の一実施形態による脳神経刺激多チャネル電極アレイの製作装置は、複数本の電線ワイヤを支持し、複数の白金リングが挿入される電極支持台と、前記電極支持台を固定するフレーム部材と、回転軸の上下に取り付けられる上下部板で構成され、前記電極支持台に支持された前記電線ワイヤがそれぞれ巻き取られたボビンが前記上部板に沿ってスライドされることによって、前記電線ワイヤが前記電極支持台で一対ずつ縒り合わされるように回転される回転部材と、前記回転部材を回転自在、且つ、スライド自在に支持する昇降板と、前記回転部材を回転させて前記格子の長さだけ前記回転部材がスライドされるように調節する一対の調節部とを含む。
【００１３】
本発明の他の実施形態によれば、電極支持台を固定する段階と、前記電極支持台に電線ワイヤを位置させ、白金リングを前記電極支持台に嵌め込む段階と、第１調節部を調節して上部内板に位置する内部のボビンを外部に移動させ、外部のボビンを内部に移動させながら回転部材を下部にスライドさせる段階と、第２調節部を調節して上部外板に位置するボビンを上部内板に移動させ、上部内板のボビンを上部外板に移動させながら前記回転部材を次の下部にスライドさせる段階と、電極支持台の下端まで前記電線ワイヤが格子状に縒り合わされるまで前記第１及び第２調節部を調節する段階と、前記固定された電極支持台から電極ワイヤを解除する段階とを含む。
【発明の効果】
【００１４】
本発明によれば、４本の電線ワイヤを垂直支持した状態で左右上下のそれぞれの電線ワイヤを一対ずつ回転させて下方へ下りながら交差して格子状に縒り合わせて形成する多チャネル電極アレイが製作されることによって、予想できない力や衝撃にも耐えられるという効果を奏する。
【図面の簡単な説明】
【００１５】
【図１】本発明の一実施形態による深部脳刺激装置に用いる脳神経刺激用多チャネル電極アレイの製作装置を示す概略斜視図である。
【図２】図１の水平フレームに電極支持台が固定される状態を示す図１のＡ部分の詳細図である。
【図３】図１の垂直フレームの後面上部の構成を示す詳細図である。
【図４】図１の回転部材を示す斜視図である。
【図５】図４の回転部材の上部内板を省略した状態の図４の回転部材がスライディング板の水平支持部の半円状結合部に結合されている状態を示す斜視図である。
【図６】図４の回転部材の上部内板と外板に結合されているボビンを示す斜視図である。
【図７】図４の回転部材の回転作動を示す一部の概略斜視図である。
【図８】図１の調節部の１つを詳細に示す概略斜視図である。
【図９】本発明の脳神経刺激用多チャネル電極アレイを製作する順序図である。
【発明を実施するための形態】
【００１６】
以下、添付する図面を参照して本発明による一実施形態の動作を詳細に説明する。
【００１７】
図１は、本発明の一実施形態による脳神経刺激用多チャネル電極アレイを製作する装置を示す。
【００１８】
図示のように、本発明の脳神経刺激用多チャネル電極アレイの製作装置は、複数本の電線ワイヤを支持し、複数の白金リングが挿入される電極支持台１００と、受け台２１０と、一対の垂直フレーム２２０及び水平フレーム２４０で構成され、電極支持台１００を固定するフレーム部材２００と、中央に電極支持台１００が挿入され、電線ワイヤのそれぞれが巻き取られたボビン７００がスライドされることによって、電線ワイヤが電極支持台１００で一対ずつ縒り合わされて格子が形成されるように回転する回転部材６００と、この回転部材６００を回転自在、且つ、スライド自在に支持する昇降板５００と、回転部材６００を回転させて形成された格子の長さだけスライドされるように調節する左右一対の調節部８００、９００とを含む。
【００１９】
図２は、図１の水平フレームに電極支持台が固定される状態を示す図１のＡ部分の詳細図であり、図３は、図１の垂直フレームの後面上部の構成を示す詳細図である。
【００２０】
図２及び図３を参照すれば、電極支持台１００には電線ワイヤが挿入されて周囲に所定間隔で白金リングを複数取り付けるために、電線ワイヤが挿入されるように長手方向に等間隔で形成された４つのワイヤ位置溝１１０と、取り付けられる白金リングの間隔で位置するように形成された複数のリング固定ホール１２０と、このリング固定ホール１２０に挿入される固定ピン１３０とを含み、その一端は受け台２１０の挿入ホール２１２に挿入され、回転部材６００の貫通ホール６５４（図４参照）を通じて、他端は水平フレーム２４０の支持台結合溝２４２に挿入される。リング固定ホール１２０は、水平フレームの下部分でその上下に貫通した１つのリング固定ホールと、その中間に取り付けられる白金リング間の間隔維持のために２つずつ貫通したリング固定ホールとを含む。リング固定ホール１２０間の間隔と数は、電極の種類によって変わり得ることはもちろんである。
【００２１】
フレーム部材２００上に所定間隔を置いて垂直に設置された一対のフレーム部材２００には高さ調節棒２２２が昇降できるように挿入される。連結部材２６０には高さ調節棒２２２が結合される高さ調節棒結合孔２６２が垂直に形成され、水平フレーム２４０が結合される水平フレーム結合孔２６４が形成される。結合孔２６２に挿入された高さ調節棒２２２は調節ネジ２６６で螺合され、連結部材２６０の上昇により垂直フレーム２２０の上部で両側の連結部材２６０に挿入された水平フレーム２４０の高さを調節できる。また、垂直フレーム２２０の後面にはガイド突起２２４が形成される。図３には具体的に示されてはいないが、水平フレーム２４０も調節ネジで螺合されて左右に移動され得ることはもちろんである。
【００２２】
図４は、図１の回転部材を示し、図５は、図４の回転部材の上部内板を除去した状態の図４の回転部材がスライディング板の水平支持部の半円状結合部に結合されている状態を示し、図６は、図４の回転部材の上部内板と外板に結合されているボビンを示している。
【００２３】
図４〜図６に示すように、回転部材６００は、回転軸６５０と、回転軸６５０の上下部にそれぞれ結合される上部内板６６０と下部板６３０及び上部内板６６０の外面に回転自在に結合される上部外板６８０とを含む。回転軸６５０の中心には電極支持台１００が挿入される貫通ホール６５４が形成され、この貫通ホール６５４を中心に螺合孔６５６が形成された軸結合突起６５２が提供され、これに対応するように、上部内板６６０には軸結合突起６５２が挿入される結合孔６６２と、螺合孔６６４が形成される。下部板６３０にはギア６３２が形成され、このギア６３２に対応するように、上部外板６８０にもギア（図示せず）が形成される。回転軸６５０と同心で、上部内板６６０と下部板６３０の内部に上部軸フランジ部６４０（図７）と下部軸フランジ部６３６が形成される。上部内板６６０と上部外板６８０のそれぞれには、ボビン７００を支持するボビン支持部材７１０がスライドされる、対応するガイド部６７０、６９０が形成され、各ガイド部６７０、６９０にはガイド溝６７２、６９２が連通され得るように形成される。ガイド溝６７２、６９２のそれぞれの底面には、ボビン支持部材７１０がスムーズにスライドされるようにボール溝６７４、６９４が提供される。
【００２４】
ボビン７００のうち２つは、上部内板６６０のガイド部６７０に位置し、２つは上部外板６８０のガイド部６９０に位置しているが、互いに反対に位置し得ることはもちろんである。
【００２５】
図１、図５及び図７を参照すれば、昇降板５００は、その一端が回転部材６００の回転軸６５０に結合されるように水平方向に延びる回転部材結合部５４０が形成され、他端はスライディング板３００に長手方向に形成された多数のスライディング溝３２０に挿入されて昇降板がガイドされる結合突起５２２が形成されたスライディング板結合部５２０を含む。回転部材結合部５４０の先端には上下に突起５６６が形成された回転表示部材５６４が取り付けられて回転部材６００の回転軸６５０に挿入される半円状棚部５８０が提供される。回転部材６００の上下部軸フランジ６４０、６３６には、回転表示部材５６４の突起５６６が挿入される複数の表示溝６４８、６３８が等間隔、９０°間隔で４つ形成され得る。
【００２６】
一方、図１及び図８を参照すれば、回転部材６００はその結合される一対の第１及び第２調節部８００、９００により回転されながら、昇降板５００により上下にスライドされる。第１調節部８００と第２調節部９００は同一の構成であるため、第１調節部８００のみ説明する。
【００２７】
第１調節部８００は、回転部材６００の上部外板６８０と下部板６３０に形成されたギアに噛み合う円錐状のギア部８５０と、ギア部８５０の回転軸８２０と、フレーム部材２００の垂直フレーム２２０に沿って昇降するように回転軸８２０に結合される略「Ｌ」状の直角で折り曲げられたスライディング部材８４０と、回転軸８５０に連結された取っ手８１０とを含む。スライディング部材８４０は、回転軸８５０が貫通する軸通孔８４６が形成された軸結合部８４２と、垂直フレーム２２０に直交して結合されるフレーム結合部８４４からなる。フレーム結合部８４４に形成されたガイド溝８４８に垂直フレーム２２０のガイド突起２２４が挿入される。ガイド突起２２４が形成された垂直フレーム２２０の対応する滑走面に対面するギア８３０が回転軸８２０に形成されており、取っ手８１０を時計回り又は反時計回りに回転させれば、取っ手８１０の回転力がギアを通じて垂直フレーム２２０に伝達されることによって、スライディング部材８４０は、取っ手８１０が回転された分だけ垂直フレーム２２０に沿って上下にスライドされる。
【００２８】
これと同時に、ギア部８５０は円錐状で回転部材６００の上部外板６８０に形成されたギア（図示せず）と下部板６３０に形成されたギア６３２がベベルギアのようにギア結合されている。従って、上部内板６６０の回転方向と上部外板６８０及び下部板６３０が互いに反対に回転して表示溝６３８、６４８と回転表示部材５６４が完全に結合した後、上部内板６６０に位置する２つのボビン７００が上部外板６８０にスライドして配置され、上部外板６８０に位置する２つのボビン７００が上部内板６８０にスライドして配置される。
【００２９】
即ち、第１調節部８００の取っ手８１０を図８に示すように、外側から内側に回転するようになれば、回転部材６００の上部外板６８０は反時計回りに回転し、下部板６３０と上部内板６６０は時計回りに回転し、その後、上部内板６６０と下部板６３０が９０°回転し、上下部軸フランジ部６４０、６３６にそれぞれ形成された表示溝６４８、６３８に回転表示部材５６４の表示突起５６６が挿入されれば、上部内板６６０に位置するボビン７００を上部内板６６０のガイド部６７０に位置する左右の２つのボビン７００のボビン支持部材７１０がガイド溝６７２に沿って移動するようにして上部外板６８０に位置するようにし、上部外板６８０に位置するボビン７００を上部内板６６０に位置するようにしてボビン７００に巻き取られた電線ワイヤが電極支持台１００に格子状に縒り合わされるようになる。また、これと同時に、回転部材６００は垂直フレーム２００に沿って所定のピッチだけスライドして下降する。
【００３０】
次に、第２調節部９００の取っ手８１０を図８に示すように、外側から内側に回転すれば、前記と反対に、上部外板６８０は時計回りに回転し、下部板６３０と上部内板６６０は反時計回りに回転することによって、ボビン７００に巻き取られた電線ワイヤは電極支持台１００に格子状に縒り合わされるようになる。
【００３１】
このように構成された本発明の脳神経刺激用多チャネル電極アレイの製作順序を、図９を参照して説明すれば、以下の通りである。
【００３２】
まず、電極支持台１００が固定される位置に合わせられるように、垂直フレーム２２０の高さ調節棒２２２と水平フレーム２４０を調整し、水平フレーム２４０の支持台結合溝２４２と、回転部材６００の貫通ホール６５４に電極支持台１００を挿入して受け台２１０の挿入ホール２１２に電極支持台１００を固定する（Ｓ１００）。
【００３３】
次に、固定された電極支持台１００のワイヤ位置溝１１０に電線ワイヤを位置させ、最も下にある固定ピン１３０をリング固定ホール１２０に挿入した後、電極支持台１００に白金リングを嵌め込み、白金電線と抵抗溶接で連結する。続いて、一段階上側のリング固定ホール１２０に固定ピン１３０を挿入した後、２番目の白金リングを嵌め込み、以上と同様に、最も上の白金リングまで電極支持台１００に嵌め込む（Ｓ２００）。
【００３４】
次に、第１調節部８００の取っ手８１０を回転部材６００の上下部軸フランジ部６４０、６３６にある表示溝６４８、６３８に回転表示部材５６４の表示突起５６６が挿入されるまで外側から内側に回した後、上部内板６６０のガイド部６７０にあったボビン７００を上部外板６８０のガイド部６９０に移動させ、上部外板６８０のガイド部６９０にあったボビン７００を上部内板６６０のガイド部６７０に移動させる（Ｓ３００）。
【００３５】
また、第２調節部９００の取っ手８１０を回転部材６００の上下部軸フランジ部６４０、６３６にある表示溝６４８、６３８に回転表示部材５６４の表示突起５６６が挿入されるまで外側から内側に回した後、上部内板６６０のガイド部６７０にあったボビン７００を上部外板６８０のガイド部６９０に移動させ、上部外板６８０のガイド部６９０にあったボビン７００を上部内板６６０のガイド部６７０に移動させる（Ｓ４００）。
【００３６】
これにより、電極支持台１００の下端まで何れも電極ワイヤが格子状に縒り合わされているかを判断し（Ｓ５００）、格子状に縒り合わされていなければ、前記段階（Ｓ３００）と段階（Ｓ４００）を実行し、格子状に縒り合わされていれば、水平フレーム２４０に挿入された電極支持台１００から電極ワイヤを脱着させることで、多チャネル電極アレイの製造を完成させる（Ｓ６００）。
【００３７】
以上で説明したのは、本発明による脳神経刺激用多チャネル電極アレイの製作装置及び方法の１つの好適な実施形態に過ぎないものであって、本発明は前記実施形態に限定されないものであるので、以下の特許請求の範囲で請求するように、本発明の要旨から逸脱することなく、当該発明の属する分野において通常の知識を有する者であれば、誰でも本装置の多様な変形実施が可能な範囲まで本発明の技術的精神があると言える。
【図１】
2013521853.tif 000003
【図２】
2013521853.tif 000004
【図３】
2013521853.tif 000005
【図４】
2013521853.tif 000006
【図５】
2013521853.tif 000007
【図６】
2013521853.tif 000008
【図７】
2013521853.tif 000009
【図８】
2013521853.tif 000010
【図９】
2013521853.tif 000011
【国際調査報告】
2013521853.tif 000012
2013521853.tif 000013
2013521853.tif 000014
2013521853.tif 000015